(57)【要約】【課題】  撮像機能および音声記録機能を有する機器を水中で使用するための防水具を提供すること。【解決手段】  撮像手段を備える機器１０１を水中で使用するための防水具１００は、撮像手段を収容する収容部を備える第１部材１００ｂと、機器１０１のタッチパネルが配置される側に配置され、タッチパネルの操作を可能としつつ水密空間を形成するための第２部材１００ａと、機器１０１の筐体に密着するようにして水密空間内に配置された骨伝導素子１０２とを備え、機器１０１による水中での高品質な音声記録を可能とする。機器１０１は、音声録音機能を備えることができ、デジタルカメラ、携帯電話、スマートホン、またはタブレットＰＣとすることができる。【選択図】  図２
2015090468.tif 000002
【特許請求の範囲】
【請求項１】
撮像手段を備える機器を水中で使用するための防水具であって、該防水具は、
撮像手段を収容する収容部を備える第１部材と、
前記機器のタッチパネルが配置される側に配置され、前記タッチパネルの操作を可能としつつ水密空間を形成するための第２部材と、
前記機器の筐体に密着するようにして前記水密空間の内部に配置された骨伝導素子と
を備える防水具。
【請求項２】
前記機器は、音声録音機能を備えることを特徴とする、請求項１に記載の防水具。
【請求項３】
前記機器は、デジタルカメラ、携帯電話、スマートホン、またはタブレットＰＣである、請求項１または２に記載の防水具。
【請求項４】
前記防水具は、高吸水性高分子のパッキンを含む、請求項１〜３のいずれか１項に記載の防水具。
【請求項５】
前記防水具の前記第１部材または第２部材は、シリコンゴムまたはプラスチックシートから形成される、請求項１〜４のいずれか１項に記載の防水具。
【請求項６】
さらに前記機器と前記第２部材との間に配置されるｏ−リングを備える、請求項１〜５のいずれか１項に記載の防水具。
【請求項７】
水中での損傷により着色する材料により、浸水を警告する機能手段を備える、請求項１〜６のいずれか１項に記載の防水具。
【発明の詳細な説明】
【技術分野】
【０００１】
本発明は、カメラ、携帯電話、スマートホン、タブレットＰＣなど撮像機能および音声記録機能を有する機器を水中で使用するための防水具に関する。
【背景技術】
【０００２】
近年、映像機器が高機能化し、カメラばかりではなく携帯電話、スマートホン、タブレットＰＣなどの情報機器も小型カメラを搭載する。また、近年、撮像機能を備える機器は、画像および音声を同期して記録する録画機能を有することも普通になっている。
【０００３】
一方、近年、レジャーの多様化も進み、スキューバダイビングなどのマリンスポーツも盛んになって来ている。スキューバダイビングなどでは、例えばhttp:／／www.seashell.hk／default_j.htm、http:／／www.dicapac.jp／などのＵＲＬとして、携帯電話やスマートホンなどを水中に持ち込んで、手軽に水中カメラとして利用するための防水具も知られている。
【０００４】
非特許文献１および非特許文献２に記載された防水具は、水中において手軽にスマートホンなどを利用して写真撮影することを可能とする。しかしながら、スマートホンなどの録画機能に関しては、充分機能させるとは言えなかった。具体的には、水中では、スキューバダイビング用のシュノーケル、マウスピースなどを介して行うダイバーの呼吸に伴い、気泡が生成する。この気泡は、ダイバーの顔付近を通って水面へと移動する。
【０００５】
通常撮影は、カメラやスマートホンといった機器を顔面に近づけ、被写体を撮影範囲に含ませながら、シャッターを押下げたり、シャッターボタンにタッチすることで行われる。これは静止画撮影の他、動画撮影でも同じで有る。このため、撮影や録画を行う機器の周囲は、気泡が水面へと移動する状態となる。気泡の発生や移動は、水中において音波を生じさせ、カメラやスマートホンが録音する音にノイズとして重畳されてしまう。ノイズが発生すると、録音している音情報の品質が失われ、せっかくの音声記録機能も充分に機能しないことになっていた。
【先行技術文献】
【非特許文献】
【０００６】
【非特許文献１】http:／／www.seashell.hk／default_j.htm（2013年11月1日）
【非特許文献２】http:／／www.dicapac.jp／（2013年11月1日）
【発明の概要】
【発明が解決しようとする課題】
【０００７】
本発明は、上記従来技術の不都合に鑑みてなされたものであり、本発明は、水中でカメラ、携帯電話、スマートホン、タブレットＰＣなどが備える録画機能を使用して、気泡による音声品質を低下させることなく音声記録を可能とする防水具を提供することを課題とする。
【課題を解決するための手段】
【０００８】
本発明の防水具は、
撮像手段を備える機器を水中で使用するための防水具であって、該防水具は、
撮像手段を収容する収容部を備える第１部材と、
前記機器のタッチパネルが配置される側に配置され、前記タッチパネルの操作を可能としつつ水密空間を形成するための第２部材と、
前記機器の筐体に密着するようにして前記水密空間の内部に配置された骨伝導素子と
を備える。
【０００９】
本発明の前記機器は、音声録音機能を備えることができる。前記機器は、デジタルカメラ、携帯電話、スマートホン、またはタブレットＰＣとすることができる。前記防水具は、高吸水性高分子のパッキンを含むことができる。前記防水具の前記第１部材または第２部材は、シリコンゴムまたはプラスチックシートから形成することができる。さらに前記機器と前記第２部材との間に配置されるｏ−リングを備えることができる。本発明の防水具は、水中での損傷により着色する材料により、浸水を警告する機能手段を備えることができる。
【発明の効果】
【００１０】
本発明によれば、水中で手軽に高品質な音声記録を可能とする防水具が提供できる。
【図面の簡単な説明】
【００１１】
【図１】本発明の防水具の使用形態を示した図。
【図２】図１に示した防水具１００を左右から見た場合の側面図。
【図３】図１および図２に示した防水具の背面部材１００ａと、レンズ側部材１００ｂを分離した場合の実施形態を示す図。
【図４】防水具１００の水密形成手段の詳細構成を示す図。
【図５】背面部材１００ａと、レンズ側部材１００ｂとが当接して水密構造を形成したところを示す断面図。
【図６】本実施形態における撮像機能を備える機器の他の実施形態である、スマートホン２００を示す図。
【図７】本実施形態の第２の実施形態の防水具３００を示す図。
【図８】本実施形態で使用する機器の他の実施形態であるタブレットＰＣ４００の実施形態を示す図。
【図９】タブレットＰＣ４００を収容する第３の実施形態の防水具５００の実施形態を示す図。
【符号の説明】
【００１２】
１００：防水具
１００ａ：背面部材
１００ｂ：レンズ側部材
１００ｃ：タッチパネル側
１００ｄ：凹部
１００ｅ：分離ライン
１０１：機器
１０２：骨伝導素子
１０３：ライン
１０３ａ：開口
１０３ｂ：パッキン
１０３ｃ：水密プラグ
１０６：収容溝
２００：スマートホン
２０１：タッチパネル
２０２：ボタン
２０３：撮像手段
２０４：撮像手段
３００：防水具
３００ａ：背面部材
３００ｂ：パネル側部材
３００ｃ：シート
３０２：分離ライン
４０１：タッチパネル
４０２：撮像手段
４０３：撮像手段
５００：防水具
５００ａ：背面部材
５００ｂ：パネル側部材
５００ｃ：可トウ性材料
【発明を実施するための形態】
【００１３】
以下、本発明を実施形態に基づいて説明するが、本発明は、実施形態の限定されるものではない。図１は、本発明の防水具の使用形態を示した図である。本実施形態の防水具１００は、シリコンゴム、ポリカーボネートといった防水性の樹脂組成物から形成されており、内部にカメラといった機器１０１を水密に収容することができる構成とされている。防水具１００の内部に収容されたデジタルカメラといった機器１０１は、ビデオ記録機能を備えており、例えばMoving Jpegや独自フォーマットで動画を記録し、動画に同期して音声情報を記録する。
【００１４】
音声情報としては、映像の説明など、ダイバーが例えばフルフェイスマスクを装着して、当該フルフェイスマスク内で声を出し、この声を骨伝導素子１０２にて集音した音声情報を挙げることができる。この目的のため、防水具１００には、骨伝導素子１０２が配置されている。骨伝導素子１０２は、機器１０１の筐体のうち、剛性の有る部分に接触するようにして防水具１００内部に配置されている。骨伝導素子１０２は、ダイバーの発した声から変換された電気信号を受け取って振動に変換し、当該信号を機器１０１の筐体に伝達する。この振動が機器１０１に内蔵されたマイクによって集音され、音声信号として機器１０１が記録することで、ノイズのない録音が可能となる。また、骨伝導素子１０２は、機器１０１に対して与えられた振動を音波信号として集音し、ダイバーや船上または地上のオペレータに機器１０１が録音するべき音声信号を明りょうに送ることができる。
【００１５】
骨伝導素子１０２からは、ライン１０３がフルフェイスマスク内の骨伝導素子（不図示）まで延びており、音声信号の伝送を可能としている。なお、他の実施形態では、骨伝導素子１０２は、有線通信ではなく、ＩＥＥＥ８０２．１１シリーズのワイヤレス通信または可視光通信で相互接続されていても良い。ワイヤレス通信で音声信号を伝送する場合には、防水具１００の内部は、ワイヤレスレシーバを配置するか、またはワイヤレスレシーバ一体型の骨伝導素子１０２を使用することができる。
【００１６】
また、防水具１００は、レンズ側および背面側が裏表に分離する構造を備えており、レンズ側および背面側が互いに密着して機器１０１を水密に取り囲んでいる。
【００１７】
図２は、図１に示した防水具１００を左右から見た場合の側面図である。防水具１００は、背面部材１００ａと、レンズ側部材１００ｂとを含んで構成されており、分離ライン１００ｅの位置で背面部材１００ａと、レンズ側部材１００ｂとが水密に隣接する構成とされている。背面部材１００ａと、レンズ側部材１００ｂとが接して形成される水密空間内には、機器１０１が収容される。図２（ｂ）に示すように、機器１０１の筐体の剛性を有する部分には、骨伝導素子１０２が当接するように保持されていて、機器１０１のマイクへと音声周波数の振動を伝達させている。骨伝導素子１０２の当接位置は効率的にマイクへと振動を伝達させることができる限り、特に限定はない。
【００１８】
また、レンズ側部材１００ｂのレンズ収容部の先端部は、ポリメチルメタクリレートといった光学特性を有するプラスチック材料で形成されていて、光学的な明りょう性を提供する。
【００１９】
図２に示した実施形態では、背面部材１００ａと、レンズ側部材１００ｂとの当接部からライン１０３を引き出すための開口１０３ａが形成されているのが示されている。開口１０３ａは、骨伝導素子１０２が有線接続形式の場合に、ライン１０３を引き出すために形成される。なお、骨伝導素子１０２が、ワイヤレス通信形式の場合には、開口１０３ａは形成されずとも良い。また、防水具１００には、機器１０１のシャッターに対応する位置の剛性を低下させるとともに水中での操作性を向上するため、凹部１００ｄが、シャッター近傍を薄くするように形成されている。
【００２０】
さらに、図２に示すように、背面部材１００ａのタッチパネル側１００ｃは、防水具１００の外部からの指によるタッチでタッチパネルの操作が可能となるように薄く形成されている。このため、ダイバーは、タッチパネル上の画像を視認するばかりではなく、各種設定、画像のスクロール、タッチ、タップ、ダブルタップ、ドラッグ、フリック、ピンチ、ピンチアウト／ピンチオープン、ピンチイン/ピンチクローズ、スワイプ、タッチアンドホールド／ロングタップなどの操作を、陸上と変わらない感覚で行うことができる。
【００２１】
図３は、図１および図２に示した防水具の背面部材１００ａと、レンズ側部材１００ｂを分離した場合の実施形態を示す。背面部材１００ａと、レンズ側部材１００ｂとの間の当接部には、水密形成手段が、周囲に沿って形成されており、この水密形成手段は、例えば、ジッパーとすることができ、必要に応じて２重ベルクロ式密封構造を各辺に沿って追加して水密性を向上させても良い。
【００２２】
骨伝導素子１０２は、レンズ側部材１００ｂに形成された収容溝１０６に収容される構成とすることができ、また、骨伝導素子１０２が、有線通信形式の場合には、開口１０３ａを取り囲んで高吸水性高分子製のパッキンを充填するための充填空間を形成することができる。パッキン１０３ｂは、ライン１０３を差し込んだ後に充填空間に詰め込まれ、水密性を提供する。パッキン１０３ｂは、ライン１０３と一体構造とされても良く、また、半円形、矩形などの形状とされ、背面部材側およびレンズ側部材にそれぞれパッキン１０３ｂを充填し、その後ライン１０３を開口１０３ａに通し、背面部材１００ａと、レンズ側部材１００ｂとを水密に当接させ、開口１０３ａの水密性を改善することができる。
【００２３】
図３には、パッキン１０３ｂ、ライン１０３および骨伝導素子１０２の構成の拡大図を示す。パッキン１０３ｂは、ライン１０３の被覆材と一体的に形成することができる。またパッキン１０３ｂは、分割して構成することもでき、この場合には、背面部材１００ａおよびレンズ側部材１００ｂの充填空間にそれぞれ充填される。
【００２４】
図４は、防水具１００の水密形成手段の詳細構成を示す。水密形成手段は、ジッパーとして構成されていて、背面部材１００ａとレンズ側部材１００ｂとが接合されたときに突条１００ｆと、対応溝１００ｇとが嵌合して水密性を提供する。なお、さらに水密性を向上させつつ操作性を向上させる目的でベルクロ（登録商標）などの面ファスナーを、ストラップなどと兼用して適切な辺または全周に配置することもできる。
【００２５】
そして、背面部材１００ａのタッチパネル側１００ｃは、薄く形成されており、その厚さが、０．１ｍｍ〜２ｍｍ程度好ましくは、０．１ｍｍ〜１ｍｍ程度とされ、適切な柔軟性を提供している。当該構成を採用することで、防水具１００の強度を確保するとともに、タッチ操作性を提供することができる。タッチパネル側１００ｃは、防水具１００の全体を形成する材料とは異なる材料で形成することもでき、その場合には、タッチパネル側１００ｃは、ポリカーボネートフィルムシートなどで二重ベルクロ構造の延長部として形成することもできる。
【００２６】
図５は、背面部材１００ａと、レンズ側部材１００ｂとが当接して水密構造を形成したところを示す断面図である。突条１００ｆおよび対応溝１００ｇは、記述の簡略化のため省略している。充填空間内には、吸水性のパッキン１０３ｂが充填されている。このパッキンを通してライン１０３が収容溝１０６に収容された骨伝導素子１０２まで延びている。
【００２７】
パッキン１０３ｂは、開口１０３ａを介して流れ込む水を吸収して膨張し、水密性を確保する。また、他の実施形態では、パッキン１０３ｂは、開口１０３ａの内部にまで延びる延長部を備えていても良い。
【００２８】
図６は、本実施形態における撮像機能を備える機器の他の実施形態である、スマートホン２００を示す。スマートホン２００は、タッチパネル２０１を備えており、撮像手段２０３および背面側に形成された第２撮像手段（図示せず）とを備えている。また、タッチパネル２０１の表示を行わせるためのボタン２０２が形成されていて、撮影、通話、メール送信、ウェブブラウジングなどが可能とされている。
【００２９】
図７は、本実施形態の第２の実施形態の防水具３００を示す。防水具３００は、背面部材３００ａと、パネル側部材３００ｂとから構成されており、分離ライン３０２の位置で背面部材３００ａと、パネル側部材３００ｂとが当接して水密構造を提供し、内部に収容されたスマートホン２００を水中で使用可能としている。背面部材３００ａの水密空間側には、骨伝導素子１０２が配置され、骨伝導素子１０２からはライン１０３が、水密プラグ１０３ｃを介して外部に引き出されているのが示されている。なお、第１の実施形態の防水具１００と同様、骨伝導素子１０２が、ワイヤレス通信方式を採用する場合には、ライン１０３および水密プラグ１０３ｃは必要ではない。また、水密提供手段の構成によっては、第１の実施形態と同様、防水パッキンを使用した構成とすることもできる。また、背面部材３００ａと、パネル側部材３００ｂとは、ヒンジで連結した構造とすることができ、水密提供手段としては、ジッパー構造や２重ベルクロ構造などの面ファスナーを使用することができ、必要に応じてｏ−リングを併用することもできる。
【００３０】
背面部材３００ａの適切な箇所には、撮像手段２０４を収容する部分が形成されていて、当該部分は、例えばポリメチルメタクリレート、ポリカーボネートなどの光学グレードのウィンドウを形成することができる。なお、当該ウィンドウの形成は、第１の実施形態の防水具１００のレンズ収容部についても同様である。
【００３１】
また、パネル側部材３００ｂは、タッチパネル２０１に当接する部分がフィルムまたはシート３００ｃで形成されていて、タッチパネルの各種操作を可能としている。ダイバーは、シート３００ｃを介してタッチパネル２０１を操作し、撮影、録画、メール伝送などを行うことができる。なお、第２の実施形態の防水具３００は、シリコンゴムとプラスチックシートなどから形成することもできるが、全体を一定の強度のある、例えばポリカーボネート製のシート／プレートで防水パッケージ状に形成することもできる。
【００３２】
この場合には、背面部材３００ａと、パネル側部材３００ｂとを少なくとも２辺または３辺でヒートシールし、残りの２辺または１辺をパッキンおよび２重ベルクロ構造で水密性を提供することができる。当該説明する実施形態の場合、骨伝導素子１０２は、背面部材３００ａの内側に両面テープで貼り付けておき、スマートホン２００を水密空間に配置した場合にスマートホンの剛性の有る部分に密着する構成とすることができる。
【００３３】
図８は、本実施形態で使用する機器の他の実施形態であるタブレットＰＣ４００の実施形態を示す。図８に示すタブレットＰＣ４００もタッチパネルを備えており、撮像手段４０２と、裏面側に配置された第２の撮像手段（図示せず）を備えており、撮影および録画が可能とされている。
【００３４】
図９は、タブレットＰＣ４００を収容する第３の実施形態の防水具５００の実施形態である。防水具５００は、背面部材５００ａと、パネル側部材５００ｂとで形成されており、背面部材５００ａの適切な箇所には、撮像手段４０３を収容するための収容部が形成される。また骨伝導素子１０２が、タブレットＰＣ４００の剛性を有する箇所に密着するように配置されている。パネル側部材５００ｂのタッチパネル４０１の側は、適切な強度を提供する厚さのプラスチックシート、プラスチックフィルムなどの可トウ性材料５００ｃで形成されており、ダイバーが、タッチパネル４０１への操作を、可トウ性材料５００ｃ越しに行うことができるようにされている。
【００３５】
なお、図９に示した防水具５００についてもシリコンゴムと、可統制材料との複合材料製とすることができるが、タブレットＰＣのサイズなどに応じて、図７で説明したように、全体を一定の強度のある、例えばポリカーボネート製のシート／プレートで防水パッケージ状に形成することもできる。この実施形態の場合、パッキン／２重ベルクロ構造を提供する側に操作性を向上させるためのストラップを提供することもできる。
【００３６】
さらに、図９に示した防水具５００については、タッチパネル４０１自体の防水性を利用し、シリコンゴムで背面部材５００ａを形成し、背面部材５００ａの４方の縁部をタブレットＰＣ４００のタッチパネル４０１側まで延びる延長部を構成し、延長部とタブレットＰＣの面との間にｏ−リングを配置して水密性を提供する構造とすることもできる。
【００３７】
さらに、本発明の第１〜第３の実施形態では、防水具１００自体を多層構造とし、水密空間よりも外側に浸水することにより例えば赤に発色するシリカゲルパウダーや水と反応して着色する材料を混合した高吸水性高分子ゲルまたはパウダーを含んだ層を形成することもできる。当該層は、水中で例えば防水具１００が岩などにぶつかって傷ついた場合にいち早く変色して浸水の危険が有ることをダイバーに通知することで、機器１０１の損傷を防止することができる。また、防水具１００の外面から多層に構成し、最外部の層が浸水した場合には黄、次の層が浸水した場合には赤に変色するようにすることもできる。
【００３８】
また、当該層に高吸水性高分子パウダーやゲルを充填することで、例えば損傷が水密空間に達してしまったような場合でも、即時の浸水を食い止めることができ、より安全な水中での機器使用を可能とする。なお、水により変色する材料を含む層は、防水具１００と一体として構成することもできるが、衝撃吸収パッドとして小さな薄いパッケージとして形成することができる。この場合、パッケージは、防水具１００の損傷を受けやすい部分に例えば、両面テープ、マジックテープ（登録商標）やベルクロ（登録商標）などの面ファスナーで固定して、衝撃吸収材として防水具１００に装着することもできる。
【００３９】
以上本発明を、実施形態をもって説明してきたが、本発明は上述した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【図１】
2015090468.tif 000003
【図２】
2015090468.tif 000004
【図３】
2015090468.tif 000005
【図４】
2015090468.tif 000006
【図５】
2015090468.tif 000007
【図６】
2015090468.tif 000008
【図７】
2015090468.tif 000009
【図８】
2015090468.tif 000010
【図９】
2015090468.tif 000011